(57)【特許請求の範囲】
【請求項１】
相対的に下側に配置される第１部分カツラと、
この第１部分カツラの上側に着脱自在に装着される第２部分カツラと、
前記第１部分カツラと前記第２部分カツラとの相対的な配置を自在に変更可能な可変連結手段と、
を備えることを特徴とするカツラ。
【請求項２】
前記第２部分カツラに人工つむじを形成したことを特徴とする請求項１に記載のカツラ。
【請求項３】
前記第１部分カツラを複数個備え、前記第１部分カツラのそれぞれは前記第２部分カツラに対する配置が可変であることを特徴とする請求項１又は２に記載のカツラ。
【請求項４】
前記第１部分カツラは、当該第１部分カツラを頭部へ保持するための保持手段を備え、この保持手段を配設する基体部を、樹脂を担持させた織物の生地としたことを特徴とする請求項１〜３のいずれかに記載のカツラ。
【請求項５】
前記可変連結手段を中心に、前記第１部分カツラが首振り自在に連結されていることを特徴とする請求項１〜４のいずれか１項に記載のカツラ。
【請求項６】
前記可変連結手段は、
前記第１部分カツラを首振り自在に連結する第１連結部と、当該第１部分カツラの配置姿勢を保持する第２連結部とを備えることを特徴とする請求項１〜５のいずれか１項に記載のカツラ。
【請求項７】
前記第１部分カツラの中央に、装着者の自毛を引出可能とした孔部を形成するとともに、前記第２部分カツラで前記孔部を被覆可能とし、
前記可変連結手段は、
前記第１部分カツラの前記孔部の周縁の一部に設けた第１係止部と、
前記第２部分カツラに設けられ、前記第１係止部と係止可能な第２係止部と、
を具備することを特徴とする請求項１又は２に記載のカツラ。
【請求項８】
前記孔部を装着者の頭部に対して前後方向に長い矩形孔部とし、
前記第１係止部を前記矩形孔部の短辺部の少なくとも一方に設けたスリットとするとともに、前記第２係止部を、前記第２部分カツラに設けられ、前記スリットに係止可能なクリップとしたことを特徴とする請求項７記載のカツラ。
【請求項９】
前記第１部分カツラよりもさらに下側に配置され、かつ、当該１部分カツラに対して取付位置を可変とした第３部分カツラを着脱自在に装着したことを特徴とする請求項７又は８に記載のカツラ。
【発明の詳細な説明】
【技術分野】
【０００１】
本発明は、カツラに関し、詳しくは、装着者の頭部にフィットさせるために複数のピースから構成したカツラに関する。
【背景技術】
【０００２】
従来の一般的なカツラは、装着者に合わせてオーダーメイドされた一体的な構成となっており、頭部に被冠されるネット状のベースに頭髪を植毛して形成されている。
【０００３】
しかし、このような一体的なカツラは、これを装着した状態ではその下の頭皮がかゆくてもかけないなどの問題点があるとして、頭皮もしくは頭髪へ固定する下カツラと、これへ重ねる上カツラとを、一部もしくは全部が分離できるように連結し、前記下カツラの上カツラに隠れる部分に孔を設けた構成のカツラが提案された（例えば、特許文献１を参照。）。
【先行技術文献】
【特許文献】
【０００４】
【特許文献１】特開平０７−１０９６０７号公報
【発明の開示】
【発明が解決しようとする課題】
【０００５】
しかし、上記特許文献１のカツラは、同一構成の部分カツラを用いてイージーオーダーとしながら、どのような頭部形状にもフィットさせられ、かつ自然な装着状態を維持するといった視点は全く欠けている。また、同一構成の部分カツラでありながら、単に薄毛の人がボリュームアップするために用いることもできるようにするといった視点もない。
【０００６】
すなわち、下カツラの孔部を介して頭部を指で掻いたりできればよいだけなので、一体に形成されていた従来のカツラを、単に、孔部を形成した下カツラと、この孔部を覆う上カツラの二つに分割形成しただけに止まっている。
【０００７】
本発明は、かかる課題を解決し、誰にでもフィットして自然な装着状態を維持することのできる複数の部分カツラからなるカツラを提供することを目的としている。
【課題を解決するための手段】
【０００８】
（１）本発明では、相対的に下側に配置される第１部分カツラと、この第１部分カツラの上側に着脱自在に装着される第２部分カツラと、前記第１部分カツラと前記第２部分カツラとの相対的な配置を自在に変更可能な可変連結手段と、を備えるカツラとした。
【０００９】
（２）本発明は、上記（１）に記載のカツラにおいて、前記第２部分カツラに人工つむじを形成したことを特徴とする。
【００１０】
（３）本発明は、上記（１）又は（２）に記載のカツラにおいて、前記第１部分カツラを複数個備え、前記第１部分カツラのそれぞれは前記第２部分カツラに対する配置が可変であることを特徴とする。
【００１１】
（４）本発明は、上記（１）〜（３）のいずれかに記載のカツラにおいて、前記第１部分カツラは、当該第１部分カツラを頭部へ保持するための保持手段を備え、この保持手段を配設する基体部を、樹脂を担持させた織物の生地としたことを特徴とする。
【００１２】
（５）本発明は、上記（１）〜（４）のいずれかに記載のカツラにおいて、前記可変連結手段を中心に、前記第１部分カツラが首振り自在に連結されていることを特徴とする。
【００１３】
（６）本発明は、上記（１）〜（５）に記載のカツラにおいて、前記可変連結手段は、前記第１部分カツラを首振り自在に連結する第１連結部と、当該第１部分カツラの配置姿勢を保持する第２連結部とを備えることを特徴とする。
【００１４】
（７）本発明は、上記（１）又は（２）に記載のカツラにおいて、前記第１部分カツラの中央に、装着者の自毛を引出可能とした孔部を形成するとともに、前記第２部分カツラで前記孔部を被覆可能とし、前記可変連結手段は、前記第１部分カツラの前記孔部の周縁の一部に設けた第１係止部と、前記第２部分カツラに設けられ、前記第１係止部と係止可能な第２係止部と、を具備することを特徴とする。
【００１５】
（８）本発明は、上記（７）に記載のカツラにおいて、前記孔部を装着者の頭部に対して前後方向に長い矩形孔部とし、前記第１係止部を前記矩形孔部の短辺部の少なくとも一方に設けたスリットとするとともに、前記第２係止部を、前記第２部分カツラに設けられ、前記スリットに係止可能なクリップとしたことを特徴とする。
【００１６】
（９）本発明は、上記（７）又は（８）に記載のカツラにおいて、前記第１部分カツラよりもさらに下側に配置され、かつ、当該１部分カツラに対して取付位置を可変とした第３部分カツラを着脱自在に装着したことを特徴とする。
【発明の効果】
【００１７】
本発明によれば、誰にでもフィットして自然な装着状態を維持することのできる複数の部分カツラからなるカツラを低価格でかつ即納することが可能となる。また、自毛が伸びた場合、その伸びに合わせて第１部分カツラの位置を変えることで、不自然さをなくすことも可能となる。
【図面の簡単な説明】
【００１８】
【図１】第１の実施形態に係る複数のピースからなるカツラの着用状態を示す斜視図である。
【図２】同カツラの構成を示す説明図である。
【図３】同カツラを分割した状態における背面視による説明図である。
【図４】ピースの連結位置が可変であることを示すカツラの背面視による説明図である。
【図５】同カツラの変形例を示す説明図である。
【図６】同カツラの変形例の背面視による説明図である。
【図７】第２の実施形態に係る複数のピースからなるカツラの構成を示す説明図である。
【図８】同カツラの可変連結手段の説明図である。
【図９】同カツラの可変連結手段を構成するクリップの態様の変化を示す説明図である。
【図１０】第３の実施形態に係るカツラの説明図である。
【発明を実施するための形態】
【００１９】
（第１の実施形態）
第１の実施形態に係るカツラは、比較的に脱毛が進んだ場合に好適に用いることができるものである。すなわち、特に頭頂部を中心に頭髪がかなり薄くなった場合に好適に用いることができる。また、例えば、医療用カツラとしても利用することができる。
【００２０】
以下、本発明のカツラの一実施形態を、図面を参照しながら説明する。図１及び図２に示すように、本実施形態に係るカツラは、相対的に下側に配置される第１部分カツラ１と、この第１部分カツラ１よりも上側に位置する第２部分カツラ２と、両カツラ１，２を、両者の相対的な配置を自在に変更可能に連結できる可変連結手段とを具備している。そして、本実施形態では、第１部分カツラ１を、左右一対のカツラピースから構成している。
【００２１】
すなわち、第１の実施形態に係るカツラは、左右一対の左側カツラピース１Ｌ及び右側カツラピース１Ｒとからなり、装着者の頭部側に被着される第１部分カツラ１と、この第１部分カツラ１（左右側カツラピース１Ｌ，１Ｒ）の上側に着脱自在に装着される第２部分カツラ２と、左右側カツラピース１Ｌ，１Ｒと第２部分カツラ２との相対的な配置が自在に変更可能な可変連結手段である連結部３とを備えている。
【００２２】
このように、第２部分カツラ２に対し、左右側カツラピース１Ｌ，１Ｒの各被着位置を連結部３を介して変更可能としているので、これまでの全頭用カツラや、単体のヘヤピースに比べ、個体差がある頭部形状にフィットさせやすく、どのような頭部形状にもフィットさせることができる。また、頭部の所望する領域（増毛させたい頭部領域）に第１部分カツラ１を配置することが可能となり、増毛領域や増毛量の自由度が極めて高くなることから、装着者の希望する増毛状態を創出することが容易となる。さらに、人毛は一月に約１０ｍｍ程度伸びるものであるため、自毛が伸びてもカツラの被着状態が不変であれば外観的に違和感が生じるおそれがある。本実施形態に係るカツラは、自毛が伸びた場合、その伸びに合わせて第１部分カツラ１の位置を変えることができるため、不自然さをなくすことが可能となる。
【００２３】
また、図２に示すように、第２部分カツラ２には、人工つむじ５が形成されている。本実施形態では、人工つむじ５を第２部分カツラ２の長手方向の一側に偏倚させた位置に設けており、装着状態で頭部の後側に位置するようにしている。
【００２４】
このように、他人から視認されやすい頭部の表側に位置する第２部分カツラ２に人工つむじ５を設け、そして、この人工つむじ５を中心にして放射状に植毛している。
【００２５】
したがって、カツラを装着した状態でも極めて自然な頭髪と映るため、他者に違和感を覚えさせることもない。なお、図１及び図２に示す例では装着者を男性としているが、特に装着者の性別は限定されるものではない。
【００２６】
なお、図３及び図４に示すように、第１部分カツラ１と第２部分カツラ２とは、ネット布からなるベース１０，２０に、多数の人毛あるいは人工毛の基部を結びつて植毛している。すなわち、図１や図３〜図６では省略したが、図２に想像線で示すように、第１部分カツラ１（左右側カツラピース１Ｌ，１Ｒ）と第２部分カツラ２とには多数の人毛あるいは人工毛からなる毛髪が植設されているのである。
【００２７】
以下、第１部分カツラ１と第２部分カツラ２の構成について、さらに説明を加える。
【００２８】
本実施形態における第１部分カツラ１を構成する左側カツラピース１Ｌと右側に位置する右側カツラピース１Ｒとは、図３に示すように、互いに線対称形状に形成されている。
【００２９】
また、図示するように、左右側カツラピース１Ｌ，１Ｒのベース１０は、所定幅になるまで漸次拡幅しつつ湾曲形成された基端部１１と、この基端部１１に連続して所定幅のまま直線的に伸延する中央部１２と、この中央部１２の先端側に形成された矩形形状の調整代部１３とから形成されている。この調整代部１３は、図１に示すように、装着者の頭部形状などに合わせた適宜形状となるように、あるいは所望の増毛形態が得られるように、所定のカッティングラインＣＬに沿って適宜カットすることができる。
【００３０】
そして、左右側カツラピース１Ｌ，１Ｒの各端端部１１の先端側に、雄又は雌の点ファスナ３１を設けている。この点ファスナ３１は後述する第２部分カツラ２に設けた点ファスナ３２と協働して可変連結手段である連結部３を構成することになる。
【００３１】
一方、第２部分カツラ２は、略矩形形状若しくは略長円形状としており、図３において下側となる先端側に第２調整代部２６が形成され、その直上部左右には張出植毛部２５，２５を連接している。この張出植毛部２５，２５から延在する毛髪によって、鬢付近の増毛も極めて自然に行える。なお、図１に示すように、第２調整代部２６についても、第１部分カツラ１の調整代部１３と同様に、装着者の頭部形状などに合わせた適宜形状となるようにカッティングラインＣＬに沿ってカットすることができるが、先端近傍は植毛作業を容易にするための摘み代部として非植毛領域としておくことが好ましい。なお、第２調整代部２６については、その全体を非植毛領域とした摘み代部として、使用時には切除する構成としてもよい。
【００３２】
また、第２調整代部２６と反対側をなす基端側（図３において上側）には、左右側カツラピース１Ｌ，１Ｒの各点ファスナ３１にそれぞれ対応する左右一対の雌又は雄の点ファスナ３２，３２が所定間隔をあけて並設されている。
【００３３】
このように、本実施形態では、上述した第１部分カツラ１の点ファスナ３１と、左右側カツラピース１Ｌ，１Ｒ（第２部分カツラ２）の点ファスナ３２により連結部３が構成される。そして、かかる連結部３により、第１部分カツラ１を構成する左右側カツラピース１Ｌ，１Ｒは、図４に示すように、連結部３を中心にそれぞれ首振り自在となる。すなわち、左右側カツラピース１Ｌ，１Ｒは、それぞれ連結部３を中心に略同一平面上を回動するのである。
【００３４】
また、本実施形態における可変連結手段は、連結部３を装着者の頭部の後側に位置する第１連結部とすれば、この第１連結部３よりも前側に位置する第２連結部４をさらに備えた構成としている（図１参照）。
【００３５】
この第２連結部４は、ベース１０，２０の外縁部分や横断状態に設けたコーティング部１４，２４の適宜位置に設けられている。本実施形態に係る第２連結部４は、図３に示すように、左右側カツラピース１Ｌ，１Ｒの点ファスナ３１から内側の長手方向に延在するコーティング部１４の略中央位置に取付けた第１連結体４１と、第２部分カツラ２の略中央を横断するように設けたコーティング部２４の左右端部にそれぞれ設けた第２連結体４２，４２とから構成されている。ところで、本実施形態では、第２連結部４を構成する第１連結体４１と第２連結体４２，４２とは面ファスナを用いているが、両面テープなどの粘着テープなども好適に用いることができる。
【００３６】
このように、第１部分カツラ１を構成する左右側カツラピース１Ｌ，１Ｒは、第１連結部３を中心にそれぞれ首振り自在に連結されているため（図４参照）、頭部への被着位置を、装着者の所望する位置となるように適宜変化させることができる。しかも、第２連結部４を設けているために、これを用いて左右側カツラピース１Ｌ，１Ｒを所望した位置で連結保持させることができる。
【００３７】
ところで、本実施形態に係るカツラは、基本的には装着者の頭頂部近傍を前後方向に被着できるように設計されており、図２及び図３における上側が装着者の後頭部側に位置する。したがって、カツラ装着時においては、第１連結部３は、人工つむじ５よりも後方であって、装着者の頭頂部よりもやや後方へ位置するようになり、たとえ点ファスナ３１，３２同士が連結される第１連結部３の厚みが他の部分よりも増したとしても、他者からは直接視認し難いため、不自然に映ることがない。
【００３８】
このように、第１連結部３を、装着者の頭頂部よりもやや後方へ位置させることが好ましいが、その位置は何ら限定されるものではない。例えば、第１連結部３を頭頂部に位置させたり、やや左右側に偏倚させて位置させたりしても構わない。
【００３９】
こうして、左右側カツラピース１Ｌ，１Ｒと第２部分カツラ２とを、所望する位置関係を維持するようにして一旦連結し、第２連結部４によってその連結位置を保持すれば、その後は、第１部分カツラ１及び第２部分カツラ２とは略一体として取り扱えるため、使い勝手としても損なわれることがない。
【００４０】
なお、上述したように、本実施形態では、可変連結手段として第２連結部４が含まれる構成としたが、第２連結部４の概念としては、あくまでも可変連結手段としての連結部３を補助する構成要素とするものであってもよい。つまり、第２連結部４が必須の要件となるものではない。
【００４１】
また、ベース１０，２０の外縁部分や横断状態に設けた上述のコーティング部１４，２４は、第２連結部４を構成する両面テープや面ファスナを貼着可能とする位置にはポリウレタンによるコーティングが施されており、滑り止め効果を狙う位置についてはシリコンなどによるコーティングが施されている。なお、コーティング部１４，２４の表面は、第２部分カツラ２から伸びる毛髪で覆われるとはいえ、透けて見える虞があるため、黒色として目立たないようにしておくことが望ましい。
【００４２】
特に、左右側カツラピース１Ｌ，１Ｒのコーティング部１４のうち、図３及び図４に示すように、第１連結体４１が取付けられたコーティング部１４とは反対側の外側の縁部に設けられたコーティング部１４の裏面には、ポリウレタンなどの樹脂を担持させた生地を貼着している。なお、本実施形態では、ポリウレタン樹脂を生地に含浸させているが、表面に薄くコーティングしても構わない。
【００４３】
これは、第１部分カツラ１の頭部への保持手段を配設するための基体部１４ａであり、例えば、自毛がある装着者であれば、基体部１４ａに、保持手段としてヘアピンなどを縫い付け、ヘアピンで自毛に固定するとよい。また、自毛が極めて少ない場合や無い場合は、担持させた樹脂により平滑になっている表面に両面テープなどの粘着テープや面ファスナなどを保持手段として取付けて頭皮に接着するか、あるいは、接着剤などで頭皮に直接接着すればよい。
【００４４】
このように、本実施形態に係るカツラは、第１部分カツラ１を頭部へ保持するための保持手段を備え、しかも、この保持手段を配設する基体部１４ａを、樹脂を担持させた織織物の生地としている。したがって、織物の生地を基体部１４ａに用いているので、ヘアピンなど縫着するために、針などを通しても合成樹脂フィルムなどとは異なり生地を破損することがなく、確実に取付けることができる。さらに、生地の表面はポリウレタン樹脂により凹凸がなく平滑になっているため、織物などの表面に粘着テープや面ファスナなどを直接貼着するのとは異なり、確実に貼着することができる。また、基体部１４ａは、第１部分カツラ１を自在に屈曲させたりできる程度の薄さとすることが望ましい。なお、基体部１４ａの長さなどは適宜設定して構わない。
【００４５】
（第１の実施形態の変形例）
ここで、第１実施形態に係るカツラの変形例について、図５及び図６を参照しながら説明する。
【００４６】
図５に示した例は、輪郭が曲線的に形成された左右側カツラピース１ＡＬ，１ＡＲとするとともに、第２部分カツラ２に設けた左右の点ファスナ３２，３２の間隔を、上述してきた例よりも広くしている。これにより、左右側カツラピース１ＡＬ，１ＡＲのそれぞれの先端側の広がりを大きくすることができる。
【００４７】
また、第１部分カツラ１となる左側カツラピース１Ｌ，１ＡＬ及び右側カツラピース１Ｒ，１ＡＲは、上述してきたように必ずしも左右対称の構成とする必要はない。すなわち、図６に示すように、左右非対称形の左右側カツラピース１ＢＬ，１ＣＲにより第１部分カツラ１を構成しても構わない。
【００４８】
このように、第１部分カツラ１を構成するカツラピースの形状は、適宜設定して構わないが、連結部３を構成する点ファスナ３１を設ける基端部１１については、点ファスナ３１を中心に回動する際に、左右のカツラピース同士が干渉しないように、他の部分よりも窄めた形状とすることが好ましい。
【００４９】
また、上述してきた例では、第１部分カツラ１は左側カツラピース１Ｌ，１ＡＬ，１ＢＬ及び右側カツラピース１Ｒ，１ＡＲ，１ＣＲの２個１組で構成しているが、３個以上のカツラピースを用い、それぞれ第２部分カツラ２に対して相対的に連結位置が可変となるように可変連結手段を介して連結してもよい。
【００５０】
（第２の実施形態）
次に、図７〜図９を参照しながら、第２の実施形態に係るカツラについて説明する。この第２実施形態に係るカツラは、頭頂部に有る程度自毛が残っている者に好適に用いられるもので、図７に示すように女性に適してはいるが、これも特に装着者の性別は限定されるものではない。
【００５１】
この第２実施形態に係るカツラは、図７に示すように、第１の実施形態に係るカツラ同様に、相対的に下側に配置される第１部分カツラ６と、この第１部分カツラ６の上側に着脱自在に装着される第２部分カツラ７と、第１部分カツラ６と第２部分カツラ７との相対的な配置を自在に変更した状態で連結可能な可変連結手段としての連結部８を備えている。しかし、ここでの第１部分カツラ６（第１の実施形態の第１部分カツラ１に相当）は、複数のピースからなるものではなく単一の構成となっており、しかも、当該第１部分カツラ６の中央には、前後方向に長い矩形孔部６０が形成されている。
【００５２】
装着者は、頭部側に被着される第１部分カツラ６に設けられた矩形孔部６０から自毛を引き出して、当該第１部分カツラ６及び矩形孔部６０を上から覆うように配置される第２部分カツラ７の毛髪と混在させることにより、あたかも全て自毛であるかのような自然な趣を残しながら増毛することができるようになっている。
【００５３】
矩形孔部７０を被覆する第２部分カツラ７には、本実施形態においても人工つむじ５が形成されている。そして、やはりこの人工つむじ５を中心にして放射状に植毛している。したがって、カツラを装着した状態でも極めて自然な頭髪と映るため、他者に違和感を覚えさせることがない。
【００５４】
図７及び図８に示すように、第１部分カツラ６と第２部分カツラ７とは本実施形態においてもネット布からなるベース６５，７５を具備しており、これに多数の人毛あるいは人工毛の基部を結びつて植毛している。つまり、想像線で示すように、第１部分カツラ６と第２部分カツラ７とには多数の人毛あるいは人工毛からなる毛髪が植設されているのである。
【００５５】
第１部分カツラ６と第２部分カツラ７とについてさらに具体的に説明する。図７及び図８に示すように、第１部分カツラ６は、略矩形形状のとした略５ｍｍ程度の細幅の枠帯６６の４辺に、所定幅（略１５ｍｍ〜３０ｍｍ）のベース６５の外側縁を連接し、かかる４辺のベース６５で囲繞される矩形孔部６０が形成されている。枠帯６６のサイズは適宜設定して構わないが、好ましくは幅が８０〜１００ｍｍ、長さが１１０〜１３０ｍｍの範囲に収まるサイズとするとよい。
【００５６】
そして、この矩形孔部６０に、短辺６０ａの方向に所定の間隔をあけて、２本の植毛帯６２，６２を長辺６０ｂの方向に架け渡している。この植毛帯６２，６２により、矩形孔部６０の形状が変形することを防止するとともに、これら植毛帯６２，６２にも十分な植毛がなされているため、増毛効果を向上させることができる。
【００５７】
そして、ベース６５の頭皮側の面には、その適宜位置（例えば、４辺それぞれ）に滑り止め用のコーティング部６７を設けている。そして、この第１部分カツラ６の矩形孔部６０の２つの短辺６０ａのうち、カツラ装着状態で後側に位置する短辺６０ａ側に設けたベース部６５に、１〜２ｍｍ幅で短辺６０ａと略同長さのスリット６１を第１係止部として形成している。このスリット６１と、後述する第２係止部として第２部分カツラ７に設けられたクリップ７１とにより連結部８が形成されることになる。
【００５８】
また、図示するように、ベース６５には所定のカッティングラインＣＬが設けられており、装着者の頭部形状に合わせた適宜形状となるように、また所望の増毛形態が得られるように、適宜にカットすることができる。つまり、本第２の実施形態における第１部分カツラ６のベース６５には、第１の実施形態で説明した調整代部が含まれていることになる。
【００５９】
第２部分カツラ７は、図７〜図９に示すように、略矩形形状とした略５ｍｍ程度の細幅の枠帯７６に、その枠の空間を被覆するようにベース７５を連接し、図７に示すように、第２部分カツラ２の長手方向の一側に偏倚させた位置に人工つむじ５を形成している。したがって、本実施形態においても、人工つむじ５は、カツラ装着状態で頭部の後側に位置することになる。なお、図示しないが、この第２部分カツラ７にも、調整代部としての機能を付与しておくことができる。すなわち、ベース７５に所定のカッティングラインを設けておき、所望の増毛形態が得られるように、適宜にカットすることができる。
【００６０】
また、枠帯７６は、第１部分カツラ６の枠帯６６の幅の約１／２程度で、長さは第１部分カツラ６の枠帯６６よりも短くしている。そして、その長手方向の両端部に、周知構造からなる櫛歯状のクリップ７１，７１を第２係止部として取り付けている。すなわち、クリップ７１は枠帯７６の短辺よりも短いサイズであり、図９（ａ），（ｂ）に示すように、弾性を有する枠体７１ａに、複数のクリップ体７１ｂを櫛歯状に並設して構成されており、枠体７１ａの湾曲方向に応じてクリップ体７１ｂと枠体７１ａとが接離するようになっている。
【００６１】
このように、２つのクリップ７１，７１をのうち、人工つむじ５側のクリップ７１を第１部分カツラ６に設けたスリット６１に係止させることで第１部分カツラ６と第２部分カツラ７とを連結することができる（図７参照。）。なお、他方のクリップ７１は、自毛、あるいは第１部分カツラ６の毛髪に係止させることにより、第２部分カツラ７を確実に保持することができる。
【００６２】
すなわち、本実施形態における第１部分カツラ６と第２部分カツラ７とを連結する可変連結手段としての連結部８は、第１部分カツラ６の矩形孔部６０の一方の短辺６０ａに設けたスリット６１と、第２部分カツラ７に設けられ、前記スリット６１に係止可能なクリップ７１を具備する構成となっている。
【００６３】
また、連結部８を、第１実施形態どうように第１連結部と第２連結部とで構成するとした場合、本実施形態では、スリット６１と、これに係止するクリップ７１とが第１連結部を構成し、他のクリップ７１が第２連結部に相当することになる。
【００６４】
本実施形態における連結部８は、その構成要素となるクリップ７１の幅に対し、スリット６１の長さが十分に長いため、このスリット６１の長さの範囲内で適宜位置にクリップ７１を係止することができ、第２部分カツラ７の取付位置が可変となっている。したがって、本実施形態においても、これまでの全頭用カツラや、単体のヘヤピースに比べ、個体差がある頭部形状にフィットさせやすく、どのような頭部形状にもフィットさせることができる。しかも、クリップ７１をスリット６１に係止させるだけなので取扱が極めて容易である。
【００６５】
（第３の実施形態）
次に、第３の実施形態に係るカツラについて、図１０を参照しながら説明する。なお、この第３の実施形態に係るカツラは、第２の実施形態で示した第１部分カツラ６及び第２部分カツラ７に、さらに第３部分カツラ９を加えて構成したものである。
【００６６】
そして、第３部分カツラ９は、第１部分カツラ６よりも下側に配置され、かつ、当該１部分カツラ６に対して取付位置が可変となっている。
【００６７】
すなわち、図１０に示すように、第１部分カツラ６の裏面側に、それぞれ第１部分カツラ６に対して取付位置を可変とした第３部分カツラ９を着脱自在に装着している。このように、本実施形態では、第３部分カツラ９と、第１部分カツラ６と、第２部分カツラ７とを、頭皮側から順に積層した３層構造のカツラとなっている。
【００６８】
第２部分カツラ７は上述してきた第２実施形態の構成と略同じであり、第３部分カツラ９は第１の実施形態で説明した左右側カツラピース１Ｌ，１Ｒと同じ構成としている。したがって、これらのここでの具体的な説明は省略する。なお、本実施形態に係る第１部分カツラ６には、第３部分カツラ９に設けた点ファスナ９１に対応する点ファスナ９２，９２が設けられている。
【００６９】
さらに、点ファスナ９１と点ファスナ９２とで第１連結部３０を構成する他、図示しないが、第１実施形態同様に第１連結部３０よりも前側には面ファスナや粘着テープなどからなる第２連結部を設けてもよい。
【００７０】
このように、本実施形態に係るカツラは、第３部分カツラ９を、左右側カツラピース９Ｌ，９Ｒにより構成し、左右側カツラピース９Ｌ，９Ｒそれぞれが第１部分カツラ６に対して連結位置が可変となり、また、第１部分カツラ６の上に装着する第２部分カツラ７も第１部分カツラ６に対して連結位置が可変となるのである。
【００７１】
かかる構成とすれば、自然な装着状態を維持しながら、増毛量をより多くすることが可能となる。また、個体差がある頭部形状への対応自由度も高まる。
【００７２】
なお、本実施形態に係る第３部分カツラ９は、第１部分カツラ６に対して首振り自在に連結できるように、第１連結部３０を点ファスナ９１や点ファスナ９２，９２を用いたが、第１の実施形態で説明した第１連結部３同様に、ホック状のものの他、ボタン、糸、磁石、ヘヤピンなど、第３部分カツラ９を首振り自在に一点留めできるものであれば如何なるものであっても構わない。
【００７３】
以上、説明してきた実施形態より、以下のカツラが実現される。
【００７４】
（１）相対的に下側に配置される第１部分カツラ１，６と、この第１部分カツラ１，６の上側に着脱自在に装着される第２部分カツラ２，７と、前記第１部分カツラ１，６と前記第２部分カツラ２，７との相対的な配置を自在に変更可能な連結部３，８（可変連結手段）とを備えるカツラ
【００７５】
かかる構成のカツラによれば、個体差がある頭部形状にフィットさせやすくなるとともに、頭部の所望する領域（増毛させたい頭部領域）に第１部分カツラ１を配置して増毛領域や増毛量の選択自由度を高くすることができる。また、自毛が伸びた場合、その伸びに合わせて第１部分カツラの位置を変えることで、不自然さをなくすことも可能となる。
【００７６】
（２）上記第２部分カツラ２，７に人工つむじ５を形成したカツラ。これにより、カツラを装着した状態でも極めて自然な頭髪と映るため、他者に違和感を覚えさせることもない。
【００７７】
（３）上記第１部分カツラ１を例えば左右側カツラピース１Ｌ，１Ｒというように複数個備え、左右側カツラピース１Ｌ，１Ｒそれぞれ（第１部分カツラ１のそれぞれ）は第２部分カツラ２に対する配置が可変であるカツラ。
【００７８】
かかる構成によれば、増毛の自由度をより高めることができ、装着者の所望する増毛を容易に実現することができる。
【００７９】
（４）上記第１部分カツラ１は、当該第１部分カツラ１を頭部へ保持するための保持手段を備え、この保持手段を配設する基体部１４ａを、樹脂を担持させた織物の生地としたカツラ。
【００８０】
かかる構成によれば、ヘアピンなど縫着するために、針などを通しても合成樹脂フィルムなどとは異なり生地を破損することがなく、確実に取付けることができるとともに、生地には樹脂が担持されているため表面が平滑面となっており、織物などの表面に粘着テープや面ファスナなどを直接貼着するのとは異なり、確実に貼着することができる。
【００８１】
（５）上記連結部３（可変連結手段）を中心に、左右側カツラピース１Ｌ，１Ｒ（第１部分カツラ１）が首振り自在に連結されているカツラ。
【００８２】
かかる構成によれば、左右側カツラピース１Ｌ，１Ｒ（第１部分カツラ１）は連結部３（可変連結手段）で連結されていながら、この連結部３を中心にして首振りすることでその被着位置を装着者の所望する位置となるように適宜変化させることができる。すなわち、第１部分カツラ１と第２部分カツラ２とが互いに連結した状態で第１部分カツラ１の配置を可変とすることができるため、取扱やすく、ハンドリングが良好となる。
【００８３】
（６）上記可変連結手段は、前記第１部分カツラ１（左右側カツラピース１Ｌ，１Ｒ）を首振り自在に連結する第１連結部３と、当該第１部分カツラ１（左右側カツラピース１Ｌ，１Ｒ）の配置姿勢を保持する第２連結部４とを備えているカツラ。
【００８４】
かかる構成によれば、第２連結部４を設けているために、これを用いて左右側カツラピース１Ｌ，１Ｒ（第１部分カツラ１）を所望した位置で連結保持させることができる。また、左右側カツラピース１Ｌ，１Ｒと第２部分カツラ２とを、所望する位置関係を維持するようにして一旦連結すれば、その後は、第１部分カツラ１及び第２部分カツラ２とは略一体として取り扱えるため、より使い勝手が向上する。
【００８５】
（７）上記第１部分カツラ６の中央に、装着者の自毛を引出可能とした矩形孔部６０（孔部）を形成するとともに、第２部分カツラ７で矩形孔部６０を被覆可能とし、可変連結手段は、第１部分カツラ６の矩形孔部６０の周縁の一部に設けた第１係止部と、第２部分カツラ７に設けられ、前記第１係止部と係止可能な第２係止部とを具備するカツラ。
【００８６】
かかる構成によれば、やはり個体差がある頭部形状にフィットさせやすくなるとともに、増毛領域や増毛量の選択自由度をより高めることができ、装着者の所望する増毛を容易に実現することができる。特に、自毛がある者であれば、矩形孔部６０（孔部）から自毛を引き出すことで、より自然な外観を維持した増毛が可能となる。
【００８７】
（８）前記孔部を装着者の頭部に対して前後方向に長い矩形孔部６０とし、第１係止部を前記矩形孔部６０の短辺部の少なくとも一方に設けたスリット６１とするとともに、第２係止部を、第２部分カツラ７に設けられ、スリット６１に係止可能なクリップ７１としたカツラ。
【００８８】
かかる構成によれば、クリップ７１をスリット６１に係止させる簡単な操作で第１部分カツラ６と第２部分カツラ７との相対的な配置を自在に変更可能に連結できるため、取り扱いが容易となる。
【００８９】
（９）上記第１部分カツラ６よりもさらに下側に配置され、かつ、当該１部分カツラ６に対して取付位置を可変とした第３部分カツラ９を着脱自在に装着したカツラ。
【００９０】
かかるカツラによれば、個体差がある頭部形状にフィットさせやすくなるとともに、増毛領域や増毛量の選択自由度をより一層高めることができ、自然な装着状態を維持しながら、増毛量をさらに多くすることが可能となる。
【００９１】
（１０）少なくとも第１部分カツラ１，６のベース１０，６５は、適宜個所で切除して植毛領域を調整可能とした調整代部１３を備えているカツラ。
【００９２】
かかる構成によれば、少なくとも第１部分カツラ１，６を、装着者の頭部形状に合わせた適宜形状となるように、あるいは所望の増毛形態が得られるように装着できるため、同一の企画製品としながら、誰にでもフィットさせることが可能となる。
【００９３】
以上、本発明を上述した実施形態を通して説明したが、本発明の趣旨を逸脱することのない限り、具体的な構成は適宜変更しても構わない。
【００９４】
例えば、第１の実施形態において、可変連結手段である第１連結部３と第２連結部４との相対的な位置を、第１連結部３よりも前側に第２連結部４を位置させた例で説明したが、前後入れ替えても構わない。また、可変連結手段である第１連結部３を点ファスナを用いたが、これはホック状のものの他、ボタン、糸、磁石、ヘヤピンなど、第１部分カツラ１を首振り自在に一点留めできるものであれば如何なるものであっても構わない。
【００９５】
また、同じく第１の実施形態において、第２連結部４を構成する第１連結体４１及び第２連結体４２は、それぞれ両面テープなどの粘着テープ、あるいは面ファスナなどで構成するとしたが、左右側カツラピース１Ｌ，１Ｒを、所望する位置に保持できる程度に保持可能であれば、いかなる材料や手段を用いても構わない。
【００９６】
また、やはり第１の実施形態において、連結部３を構成する第２部分カツラ２の点ファスナ３２を２つではなく、例えば、雄の点ファスナ３２を単一で設けておき、第１部分カツラ１の左側カツラピース１Ｌの基端部１１の表に第２部分カツラ２の点ファスナ３２に対応する雌の点ファスナ３１を、基端部１１の裏に雄の点ファスナ３１を設けるとともに、第１部分カツラ１の右側カツラピース１Ｒの基端部１１の表に左側カツラピース１Ｌの点ファスナ３１に対応する雌の点ファスナ３１を設けることもできる。勿論、点ファスナ３１，３２の雄雌は逆にしても構わない。
【００９７】
また、第２の実施形態において、第１部分カツラ６に設けた孔部を矩形孔部６０としたが、これは必ずしも矩形には限らず、その形状は適宜設計変更が可能である。また、第１係止部をスリット６１とするとともに、第２係止部を第２部分カツラ７に設けられたクリップ７１としたが、これも特に限定するものではない。例えば、細長いスリット６１に代えて多数の孔を列状に並置してもよい。また、クリップ７１に代えてフック状の係止部材などを用いてもよい。さらに、第１係止部及び第２係止部を、点ファスナや面ファスナなどで構成しても構わない。
【００９８】
また、第３の実施形態において、第３部分カツラ９を第１部分カツラ６に対して首振り自在に連結したが、必ずしもそのような構成に限定するものではない。したがって、連結手段としても、例えば、面ファスナなどを用いることもできる。
【００９９】
さらに第３の実施形態においては、第３部分カツラ９を第１の実施形態で説明した左右側カツラピース１Ｌ，１Ｒと同一構成としたが、第１部分カツラ６よりもさらに下側に配置され、かつ、１部分カツラ６に対して取付位置を可変とした構成であれば、その形状や連結手段などは何ら限定されるものではない。
【符号の説明】
【０１００】
１  第１部分カツラ
１Ｌ  左側カツラピース
１Ｒ  右側カツラピース
２  第２部分カツラ
３  連結部（第１連結部）
４  第２連結部
５  人工つむじ
６  第１部分カツラ
７  第２部分カツラ
８  連結部８
９  第３部分カツラ
１０  ベース
３１，３２  点ファスナ
４１  第１連結体
４２  第２連結体
６０  矩形孔部
６０ａ  短辺
６１  スリット
６５    ベース
７１  クリップ
【図１】
0005468948.tif 000002
【図２】
0005468948.tif 000003
【図３】
0005468948.tif 000004
【図４】
0005468948.tif 000005
【図５】
0005468948.tif 000006
【図６】
0005468948.tif 000007
【図７】
0005468948.tif 000008
【図８】
0005468948.tif 000009
【図９】
0005468948.tif 000010
【図１０】
0005468948.tif 000011